(57)【特許請求の範囲】
【請求項１】
画像を色分解したときの単色画像を表わす単色画像データの格納順序とその単色画像データにより表わされる単色画像の色との対応関係および１つの画像を形成する単色画像の数があらかじめ設定されており、そこに設定されている単色画像の数と同数の単色画像データが格納されるプリセット格納部と、
画像を色分解したときの単色画像を表わす単色画像データが、該単色画像データにより表わされる単色画像の色との対応付けがないまま格納されるポストセット格納部と、
前記プリセット格納部に格納された単色画像データおよび前記ポストセット格納部に格納された単色画像データを出力する出力部と、
前記プリセット格納部への単色画像データの格納を監視し、該プリセット格納部に設定されている単色画像の数と同数の単色画像データが該プリセット格納部に格納されたことを受けて、前記出力部に、該プリセット格納部に格納された単色画像データの出力を指示する監視部と、
前記ポストセット格納部に格納された単色画像データに、操作に応じて色を割り当てるとともに、さらに操作に応じて、前記出力部に、該ポストセット格納部に格納された単色画像データの出力を指示するポストセットアップ部とを備えたことを特徴とする画像データ出力装置。
【請求項２】
画像を色分解したときの単色画像を表わす単色画像データの格納順序とその単色画像データにより表わされる単色画像の色との対応関係および１つの画像を形成する単色画像の数を操作に応じて設定することにより前記プリセット格納部を生成するプリセット格納部生成部を備えたことを特徴とする請求項１記載の画像データ出力装置。
【請求項３】
コンピュータシステム内で実行されることにより、該コンピュータシステムを、画像を表わす画像データを出力する画像データ出力装置として動作させる画像データ出力プログラムが記憶されてなる画像データ出力プログラム記憶媒体であって、
画像を色分解したときの単色画像を表わす単色画像データの格納順序とその単色画像データにより表わされる単色画像の色との対応関係および１つの画像を形成する単色画像の数があらかじめ設定されており、そこに設定されている単色画像の数と同数の単色画像データが格納されるプリセット格納部に格納された単色画像データ、および、画像を色分解したときの単色画像を表わす単色画像データが、該単色画像データにより表わされる単色画像の色との対応付けがないまま格納されるポストセット格納部に格納された単色画像データを出力する出力手段と、
前記プリセット格納部への単色画像データの格納を監視し、該プリセット格納部に設定されている単色画像の数と同数の単色画像データが該プリセット格納部に格納されたことを受けて、前記出力手段に、該プリセット格納部に格納された単色画像データの出力を指示する監視手段と、
前記ポストセット格納部に格納された単色画像データに、操作に応じて色を割り当てるとともに、さらに操作に応じて、前記出力手段に、該ポストセット格納部に格納された単色画像データの出力を指示するポストセットアップ手段とを備えた画像データ出力プログラムが記憶されてなることを特徴とする画像データ出力プログラム記憶媒体。
【請求項４】
前記画像データ出力プログラムが、画像を色分解したときの単色画像を表わす単色画像データの格納順序とその単色画像データにより表わされる単色画像の色との対応関係、および１つの画像を形成する単色画像の数を操作に応じて設定することにより前記プリセット格納部を生成するプリセット格納部生成手段を備えたものであることを特徴とする請求項３記載の画像データ出力プログラム記憶媒体。
【発明の詳細な説明】
【０００１】
【発明の属する技術分野】
本発明は、画像データを、カラープリンタ等の画像出力装置に向けて出力する画像データ出力装置、および、コンピュータシステム上で実行され、そのコンピュータシステムを画像データ出力装置として動作させる画像データ出力プログラムが記憶された画像データ出力プログラム記憶媒体に関する。
【０００２】
【従来の技術】
従来より、パーソナルコンピュータ等を用いて実現した画像処理装置に画像データを取り込んで画像データ上で画像の編集を行ない、あるいは色補正等を行ない、そのような編集や色補正等が行なわれたあとの画像データをカラープリンタ等の画像出力装置に向けて出力し、その画像出力装置で所望の画像を出力することが行なわれている。
【０００３】
このような場合において、画像出力装置を用いてカラー画像を出力しようとしたとき、その画像出力装置に、１つの画像を例えばＣ（シアン）、Ｍ（マゼンタ）、Ｙ（イエロー）等の単色画像に分解したときの単色画像を表わす単色画像データを送る必要があるが、その画像出力装置の種類等に応じて、例えば、Ｃ，Ｍ，Ｙの単色画像データをＹ，Ｍ，Ｃの色順に送る必要があり、あるいは、各単色画像データにＣ，Ｍ，Ｙの区別を表わす情報を付加して送る必要があり、あるいはＣ，Ｍ，Ｙに加えＫ（黒）の単色画像を表わす単色画像データも合わせて送る必要があるなど、さらには、その画像に応じては、Ｃ，Ｍ，Ｙ，Ｋの４色にさらに特色に対応する単色画像データを送る必要があるなど、その画像出力装置に応じた、あるいは、出力しようとしている画像に応じたデータ出力形式で画像データを送る必要がある。
【０００４】
【発明が解決しようとする課題】
このように画像出力装置の種類や出力しようとする画像の色数等に応じて画像データの出力形成が異なるため、上記の画像処理装置と画像出力装置は従来ほぼ固定的に組み合わされて使用されることが多く、それに対応して、画像処理装置から画像出力装置に向けて画像データを出力する画像データ出力プログラムも、１つの画像を構成する単色画像データの数や各単色画像データに割り当てられる色を固定的に定めている場合が多い。この場合、例えば新たな特色を加えるといった変化に柔軟に対応できず、汎用性がないという問題がある。また、画像出力装置を別の種類のものに変更すると画像処理装置側でもその新たな画像出力装置に画像データを送るためのプログラムの大幅な修正等が必要となるという問題もある。
【０００５】
また、画像を出力しようとするたびに、各単色画像データそれぞれに操作に応じて色を指定するようにすることも考えられるが、このような方法を採用するとルーチンワーク的な画像出力作業のときにもいちいち指定する必要を生じ、操作性が悪いという問題を生じることになり、ルーチンワーク的な画像出力作業には不向きなシステムとなってしまう。
【０００６】
このように、従来はいずれにしても汎用性の乏しいシステムとなってしまっていた。
【０００７】
本発明は、上記事情に鑑み、汎用性に富む画像出力システムの構築に好適な画像データ出力装置、およびコンピュータシステムをそのような画像データ出力装置として動作させるための画像データ出力プログラムが格納された画像データ出力プログラム記憶媒体を提供することを目的とする。
【０００８】
【課題を解決するための手段】
上記目的を達成する本発明の画像データ出力装置は、
画像を色分解したときの単色画像を表わす単色画像データの格納順序とその単色画像データにより表わされる単色画像の色との対応関係および１つの画像を形成する単色画像の数があらかじめ設定されており、そこに設定されている単色画像の数と同数の単色画像データが格納されるプリセット格納部と、
画像を色分解したときの単色画像を表わす単色画像データが、その単色画像データにより表わされる単色画像の色との対応付けがないまま格納されるポストセット格納部と、
プリセット格納部に格納された単色画像データおよびポストセット格納部に格納された単色画像データを出力する出力部と、
プリセット格納部への単色画像データの格納を監視し、プリセット格納部に設定されている単色画像の数と同数の単色画像データがプリセット格納部に格納されたことを受けて、上記出力部に、プリセット格納部に格納された単色画像データの出力を指示する監視部と、
ポストセット格納部に格納された単色画像データに、操作に応じて色を割り当てるとともに、さらに操作に応じて、上記出力部に、ポストセット格納部に格納された単色画像データの出力を指示するポストセットアップ部とを備えたことを特徴とする。
【０００９】
ここで、本発明の画像データ出力装置において、画像を色分解したときの単色画像を表わす単色画像データの格納順序とその単色画像データにより表わされる単色画像の色との対応関係、および１つの画像を形成する単色画像の数を操作に応じて設定することにより前記プリセット格納部を生成するプリセット格納部生成部を備えることが好ましい。
【００１０】
また、本発明の画像データ出力プログラム記憶媒体は、コンピュータシステム内で実行されることにより、該コンピュータシステムを、画像を表わす画像データを出力する画像データ出力装置として動作させる画像データ出力プログラムが記憶されてなる画像データ出力プログラム記憶媒体であって、
画像を色分解したときの単色画像を表わす単色画像データの格納順序とその単色画像データにより表わされる単色画像の色との対応関係および１つの画像を形成する単色画像の数があらかじめ設定されており、そこに設定されている単色画像の数と同数の単色画像データが格納されるプリセット格納部に格納された単色画像データ、および、画像を色分解したときの単色画像を表わす単色画像データが、その単色画像データにより表わされる単色画像の色との対応付けがないまま格納されるポストセット格納部に格納された単色画像データを出力する出力手段と、
プリセット格納部への単色画像データの格納を監視し、プリセット格納部に設定されている単色画像の数と同数の単色画像データがプリセット格納部に格納されたことを受けて、前記出力手段に、プリセット格納部に格納された単色画像データの出力を指示する監視手段と、
ポストセット格納部に格納された単色画像データに、操作に応じて色を割り当てるとともに、さらに操作に応じて、上記出力手段に、ポストセット格納部に格納された単色画像データの出力を指示するポストセットアップ手段とを備えた画像データ出力プログラムが記憶されてなることを特徴とする。
【００１１】
ここで、本発明の画像データ出力プログラム記憶媒体に記憶されてなる画像データ出力プログラムが、画像を色分解したときの単色画像を表わす単色画像データの格納順序とその単色画像データにより表わされる単色画像の色との対応関係、および１つの画像を形成する単色画像の数を操作に応じて設定することによりプリセット格納部を生成するプリセット格納部生成手段を備えたものであることが好ましい。
【００１２】
本発明は、上記のプリセット格納部とポストセット格納部との双方を用意し、色数等が定まっているルーチンワーク的な画像出力作業の場合にはプリセット格納部を使用することで各単色画像データにいちいち色を指定したりするような繁雑な作業を避けることができ、一方ポストセット格納部を使用すると状況に応じたきめの細かな画像出力作業を行なうことができる。
【００１３】
このように、本発明を採用すると、汎用性に富むとともに使い勝手の良いシステムが構築される。
【００１４】
【発明の実施の形態】
以下、本発明の実施形態について説明する。
【００１５】
図１は、本発明の一実施形態が適用された画像入力−色変換−画像出力システムの全体構成図である。
【００１６】
ここには、カラースキャナ１０が示されており、そのカラースキャナ１０では原稿画像１１が読み取られてＣＭＹ３色の画像データが生成される。このＣＭＹの画像データはパーソナルコンピュータ２０に入力される。このパーソナルコンピュータ２０では、カラースキャナ１０で得られた画像データが、後述するカラープリンタ３０に適した画像出力用の画像データに変換される。この画像出力用の画像データは、カラープリンタ３０に入力され、そのカラープリンタ３０では、入力された画像データに基づくプリント出力が行なわれて、プリント画像３１が形成される。
【００１７】
この図１に示すシステムでは画像データに基づく画像を出力する画像出力装置の一例としてカラープリンタ３０を示したが、このカラープリンタ３０は、電子写真方式のカラープリンタであってもよく、インクジェット方式のカラープリンタであってもよく、変調されたレーザ光で印画紙を露光してその印画紙を現像する方式のプリンタであってもよく、そのプリント方式の如何を問うものではない。また、画像出力装置としては、プリンタに限定されるものではなく、印刷機であってもよく、あるいは表示画面上に画像を表示出力するＣＲＴディスプレイ装置、プラズマディスプレイ装置等の画像表示装置であってもよい。
【００１８】
ただし、ここでは、画像出力装置の一例としてカラープリンタ３０を備えたシステムを前提として説明する。
【００１９】
ここで、この図１に示すシステムにおける、本発明の一実施形態としての特徴は、パーソナルコンピュータ２０の内部で実行される処理内容にあり、以下、このパーソナルコンピュータ２０について説明する。
【００２０】
図２は、図１に１つのブロックで示すパーソナルコンピュータ２０の外観斜視図、図３は、そのパーソナルコンピュータ２０のハードウェア構成図である。
【００２１】
このパーソナルコンピュータ２０は、外観構成上、本体装置２１、その本体装置２１からの指示に応じて表示画面２２ａ上に画像を表示する画像表示装置２２、本体装置２１に、キー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フロッピィディスクを装填するためのフロッピィディスク装填口２１ａ、およびＣＤ−ＲＯＭを装填するためのＣＤ−ＲＯＭ装填口２１ｂを有する。
【００２２】
本体装置２１の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、フロッピィディスク１００が装填されその装填されたフロッピィディスク１００をアクセスするＦＤドライバ２１４、ＣＤ−ＲＯＭ１１０が装填され、その装填されたＣＤ−ＲＯＭ１１０をアクセスするＣＤ−ＲＯＭドライバ２１５、カラースキャナ１０（図１参照）と接続され、カラースキャナ１０から画像データを受け取る入力インタフェース２１６、カラープリンタ３０に画像データを送る出力インタフェース２１７が内蔵されており、これらの各種要素と、さらに図２にも示す画像表示装置２２、キーボード２３、マウス２４は、バス２５を介して相互に接続されている。
【００２３】
ここで、ＣＤ−ＲＯＭ１１０には、このパーソナルコンピュータ２０を画像データ出力装置として動作させるための画像データ出力プログラムが記憶されており、そのＣＤ−ＲＯＭ１１０はＣＤ−ＲＯＭドライバ２１５に装填され、そのＣＤ−ＲＯＭ１１０に記憶された画像データ出力プログラムがこのパーソナルコンピュータ２０にアップロードされてハードディスク装置２１３に記憶される。
【００２４】
図４は、図３に示すＣＤ−ＲＯＭ１１０、ハードディスク装置２１３内のハードディスク等の記憶媒体を代表させて示した図である。
【００２５】
この記憶媒体３００には、画像データ出力プログラム３１０が記憶されている。
【００２６】
この記憶媒体３００に記憶された画像データ出力プログラム３１０は、出力モジュール３１１、監視ルーチン３１２、ポストセットアップマネージャ３１３、および、プリセットマネージャ３１４から構成されている。この画像データ出力プログラム３１０を構成する各要素の詳細は後述するが、出力モジュール３１１、監視ルーチン３１２、ポストセットアップマネージャ３１３、およびプリセットマネージャ３１４は、それぞれ、本発明にいう出力手段、監視手段、ポストセットアップ手段、およびプリセット格納部生成手段の各一例に相当する。
【００２７】
この画像データ出力プログラム３１０が、図３に示すＣＤ−ＲＯＭ１１０に記憶されているときは、このＣＤ−ＲＯＭ１１０が本発明の画像データ出力プログラム記憶媒体の一実施形態に相当し、そのＣＤ−ＲＯＭ１１０に格納された画像データ出力プログラム３１０がパーソナルコンピュータ２０にローディングされてハードディスク装置２１３に格納されたときは、その画像データ出力プログラムが格納された状態にあるハードディスクが本発明の画像データ出力プログラム記憶媒体の一例に相当し、さらに、そのハードディスク内の画像データ出力プログラムが図３に示すフロッピィディスク１００にダウンロードされると、その画像データ出力プログラムを記憶した状態にあるフロッピィディスクも本発明の画像データ出力プログラム記憶媒体の一例に相当する。
【００２８】
図５は、パーソナルコンピュータ２０内での画像データ出力プログラムの動作を示す模式的なブロック図である。
【００２９】
ここにはプリセットフォルダ３１５とポストセットフォルダ３１６が用意されている。
【００３０】
プリセットフォルダ３１５は、本発明にいうプリセット格納部の一例に相当するものであり、このプリセットフォルダ３１６には、画像を色分解したときの単色画像を表わす単色画像データが格納されたファイルＰが格納される。
【００３１】
図６は、プリセットフォルダに対応づけられた情報マップを示す図である。
【００３２】
プリセットフォルダ３１５には、単色画像データが入力されるよりも前に、単色画像データの格納の順序とその単色画像データにより表わされる単色画像の色との対応関係、および、１つの画像を形成する単色画像の数が設定されている。
【００３３】
また、本実施形態においては、プリセットフォルダ３１５には、カラープリンタ３０に対応した色変換を行なうための色変換ＬＵＴ（ルックアップテーブル）もあらかじめ設定されている。さらに、本実施形態においては、カラープリンタ３０は、網点画像を出力するプリンタであり、プリセットフォルダ３１５には、網種もあらかじめ設定されている。
【００３４】
これらは、プリセットフォルダ３１５が複数（図５の例では２つ）存在するときは、各プリセットフォルダごとに設定されている。
【００３５】
尚、図６には格納順と色とに対応付けられた、各単色画像データが格納されたファイルＰのアドレスが示されているが、この欄はプリセットフォルダにファイルＰが格納される前は空欄であってファイルＰが格納された時点で埋められる欄である。
【００３６】
図５に戻って説明を続ける。
【００３７】
ポストセットフォルダ３１６は、本発明にいうポストセット格納部の一例に相当するものであり、このポストセットフォルダ３１６にも、プリセットフォルダ３１５と同様、単色画像データが格納されたファイルＰが格納される。ただし、このポストセットフォルダ３１６に格納されるファイルには、色等の設定は行なわれておらず、また、このポストセットフォルダ３１６に格納されるファイルの数（色の数）も未設定である。
【００３８】
ポストセットアップマネージャ３１３は、ポストセットアップフォルダ３１６に単色画像データファイルが格納された後になって、図２に示すキーボード２３あるいはマウス２４の操作に応じて、１つの画像を構成するファイル群を指定するとともに、そのファイル群を構成する各ファイルに色を割り当て、さらに本実施形態においては色変換ＬＵＴや網種も指定し、さらに操作に応じて出力モジュール３１１に画像出力を指示する。
【００３９】
相前後して複数の画像出力指示を受けたときは、待ち行列を作り
監視ルーチン３１２は、プリセットフォルダ３１５への単色画像データファイルＰの格納を監視し、プリセットフォルダ３１５に設定されている単色画像の数（色の数）と同数の単色画像データファイルが格納されたことを受けて、出力モジュール３１１に画像出力を指示する。
【００４０】
出力モジュール３１１は、監視ルーチン３１２やポストセットアップマネージャ３１３からの画像出力指示に応じて、その指示に応じたプリセットフォルダ３１５あるいはポストセットフォルダ３１６から単色画像データファイルを読み出しそのフォルダに指定された色変換ＬＵＴを用いて色変換を行ない、指定された網種の網点データに変換してカラープリンタ３０に向けて送出する。
【００４１】
プリセットマネージャ３１４は、プリセットフォルダ３１５のメンテナンスを行なう要素であり、オペレータによるキーボード２３やマウス２４の操作に応じて図６に示すような各種設定を行なうことによりプリセットフォルダを生成し、あるいは既に生成されているプリセットフォルダの各種設定を変更する。
【００４２】
パーソナルコンピュータ２０に、図１に示すカラースキャナ１０で原稿画像１１を読み取って得た画像データが入力され、パーソナルコンピュータ２０ではその入力された画像データ等に基づいて画像の編集が行なわれ、その編集後の画像がビットマップに展開されて各単色画像データに変換され、そのようにして得られた単色画像データが格納された単色画像データファイルＰがプリセットフォルダ３１５あるいはポストセットフォルダ３１６に格納される。
【００４３】
プリセットフォルダ３１５には、前述したように単色画像データファイルの格納順に対する色や単色画像データファイルの数があらかじめ設定されており、監視ルーチン３１２により、あるプリセットフォルダ３１５に、そのプリセットフォルダ３１５に設定された数の単色画像データファイルＰが格納されたことが認識されると、その監視ルーチン３１２により、出力モジュール３１１に各ファイルＰに色（図５に示す例ではＣ，Ｍ，Ｙ，Ｋの各色）が対応づけられて通知される。出力モジュール３１１は、その通知を受けて、その各ファイルに格納された単色画像データを、上述した色変換や網点データへの変換を行なった上でカラープリンタ３０に向けて出力する。
【００４４】
この場合、オペレータは、各ファイルへの色の割り当て等を画像出力のたびに行なう必要はなく、プリセットフォルダ生成の際に一度行なっておけばよく、操作性が向上する。
【００４５】
一方、単色画像データファイルＰをポストセットフォルダ３１６に格納したときは、オペレータによる操作に応じて、ポストセットアップマネージャ３１３がそのポストセットフォルダ１６に格納されたファイルへの色が割り当て等を行い、その後、やはり操作に応じて出力モジュール３１１への画像出力を指示する。
【００４６】
出力モジュールは、ポストセットアップマネージャ３１３からの画像出力指示を受けると、プリセットフォルダ３１５に関し監視ルーチン３１２から指示を受けた場合と同様にして、そのポストセットフォルダ３１６の各ファイル内の単色画像データを、上述した色変換や網点データへの変換を行なった上でカラープリンタ３０に向けて出力する。
【００４７】
この場合、ポストセットアップフォルダ３１６に単色画像データファイルを格納したあと、オペレータによる操作を介在させないと画像出力は行なわれないが、色順や色数を任意に指定したり、指定する色に任意の特色を含ませたりなど、自由な操作を行なうことができる。図５に示す例では、ポストセットアップマネージャ３１３により、ポストセットフォルダ３１６に格納された単色画像データファイルのうちの５つのファイルで１つの画像を構成すること、および各ファイルがそれぞれＣ，Ｍ，Ｙ，Ｋおよびある特色Ｓ１に対応することが指定された例が模式的に示されている。
【００４８】
ここで、図５に示す実施形態と本発明の画像データ出力装置の各要素との対応は以下のとおりである。
【００４９】
プリセットフォルダ３１５およびポストセットフォルダ３１６は、本発明の画像データ出力装置にいうプリセット格納部およびポストセット格納部に相当する。これらプリセットフォルダ３１５およびポストセットフォルダ３１６は、ハードウエア上は、図３に示すパーソナルコンピュータ２０のハードディスク装置２１３内に構築される。
【００５０】
また、図４にも示すソフトウェア部品としての出力モジュール３１１、監視ルーチン３１２、ポストセットアップマネージャ３１３、およびプリセットマネージャ３１４と、それらのソフトフェア部品を記憶しておくハードディスク装置２１３、それらのソフトウェア部品を実行するＣＰＵ２１１、およびそれらのソフトウェア部品がＣＰＵ２１１での実行のために展開される主メモリ２１２等のハードウェアとの複合体が、それぞれ、本発明の画像データ出力装置にいう出力部、監視部、ポストセットアップ部、およびプリセット格納部生成部に相当する。
【００５１】
上記の実施形態によれば、画像出力装置が別の種類のものに変更されても、出力モジュール３１１の最終段の出力ドライバの部分のみ変更すればよく、また、あらかじめ色数や色が定まったルーチンワーク的な画像出力作業にも、画像１枚ずつ種々変更する必要のある画像出力作業にも対応することができ、極めて汎用性の高いシステムを構成することができる。
【００５２】
【発明の効果】
以上説明したように、本発明によれば、ルーチンワーク的な画像出力にも画像１枚ずつ種々変更する必要のある画像出力作業にも対応することのできる汎用性の高いシステムが構成される。
【図面の簡単な説明】
【図１】本発明の一実施形態が適用された画像入力−色変換−画像出力システムの全体構成図である。
【図２】図１に１つのブロックで示すパーソナルコンピュータの外観斜視図である。
【図３】パーソナルコンピュータのハードウェア構成図である。
【図４】図３に示すＣＤ−ＲＯＭ、ハードディスク装置内のハードディスク等の記憶媒体を代表させて示した図である。
【図５】パーソナルコンピュータ内での画像データ出力プログラムの動作を示す模式的なブロック図である。
【図６】プリセットフォルダに対応づけられた情報マップを示す図である。
【符号の説明】
１０    カラースキャナ
１１    原稿画像
２０    パーソナルコンピュータ
２１    本体装置
２２    画像表示装置
２２ａ    表示画面
２３    キーボード
２４    マウス
２５    バス
３０    カラープリンタ
３１    プリント画像
１００    フロッピィディスク
１１０    ＣＤ−ＲＯＭ
２１１    ＣＰＵ
２１２    主メモリ
２１３    ハードディスク装置
２１４    ＦＤドライバ
２１５    ＣＤ−ＲＯＭドライバ
２１６    入力インタフェース
２１７    出力インタフェース
３００    記憶媒体
３１０    画像データ出力プログラム
３１１    出力モジュール
３１２    監視ルーチン
３１３    ポストセットアップマネージャ
３１４    プリセットマネージャ
３１５    プリセットフォルダ
３１６    ポストセットフォルダ
【図１】
0004307678.tif 000002
【図２】
0004307678.tif 000003
【図３】
0004307678.tif 000004
【図４】
0004307678.tif 000005
【図５】
0004307678.tif 000006
【図６】
0004307678.tif 000007